(57)【要約】【課題】第１のソースに基づくデータの再生処理中に、第２のソースに基づくデータが外部入力された場合でも、各々のデータの再生動作を支障なく行うことが可能な再生装置を提供する。【解決手段】このＢＤレコーダ（再生装置）１００は、装置本体１００ａと、装置本体１００ａに入力されるデータを復号可能な第１デコーダ１２ａおよび第２デコーダ１２ｂとを備え、第１デコーダ１２ａにより復号されたＢＤディスク３ａのＢＤデータを再生している際に、ＢＤディスク３ａとは異なる第２ソースの第２データが装置本体１００ａに入力された場合に、第１デコーダ１２ａにＢＤデータを復号させるとともに第２デコーダ１２ｂに第２データを復号させ、ＢＤデータに基づく第１音声と、第２データに基づく音声とを、それぞれ、独立して再生させるように構成されている。【選択図】図１
2014041671.tif 000002
【特許請求の範囲】
【請求項１】
再生装置本体と、
前記再生装置本体に入力されるデータを復号可能な第１デコーダおよび第２デコーダとを備え、
前記第１デコーダにより復号された第１ソースの第１データを再生している際に、前記第１ソースとは異なる第２ソースの第２データが前記再生装置本体に入力された場合に、前記第１デコーダに前記第１データを復号させるとともに前記第２デコーダに前記第２データを復号させ、前記第１データに基づく第１デコードデータと、前記第２データに基づく第２デコードデータとを、それぞれ、独立して再生させるように構成されている、再生装置。
【請求項２】
前記第１デコードデータを出力可能な第１再生出力部と、前記第２デコードデータを出力可能な第２再生出力部とをさらに備え、
前記第１データに基づく前記第１デコードデータと、前記第２データに基づく前記第２デコードデータとを、それぞれ、前記第１再生出力部および前記第２再生出力部から独立して再生出力させるように構成されている、請求項１に記載の再生装置。
【請求項３】
前記第２データが前記再生装置本体に入力されたのを検出したことに基づいて、前記第１デコーダに前記第１データを復号させるとともに前記第２デコーダに前記第２データを復号させ、前記第１データに基づく前記第１デコードデータと、前記第２データに基づく前記第２デコードデータとを、それぞれ、独立して再生させる制御を行う制御部をさらに備える、請求項１または２に記載の再生装置。
【請求項４】
前記第１デコードデータは、前記第１データが前記第１デコーダにより復号された第１音声および前記第１データが前記第２デコーダにより復号された第２音声を含み、
前記制御部は、前記第１デコーダおよび前記第２デコーダが前記第１ソースの前記第１データを復号するとともに、前記第１データに基づく前記第１音声および前記第２音声が混合されて再生されている場合に、前記第２データが前記再生装置本体に入力されたのを検出したことに基づいて、前記第１音声および前記第２音声を混合した音声の再生を解除し、前記第１デコーダに前記第１データを復号させるとともに前記第２デコーダに前記第２データを復号させ、前記第１データに基づく前記第１音声と、前記第２データに基づく前記第２デコードデータの音声とを、それぞれ、独立して出力させる制御を行うように構成されている、請求項３に記載の再生装置。
【請求項５】
前記第１データは、親画面のうちの一部に子画面を表示可能なピクチャインピクチャ機能に対応したブルーレイ規格に準拠したデータであり、
前記制御部は、前記第２データが前記再生装置本体に入力されたのを検出したことに基づいて、前記第１音声および前記第２音声を混合した音声の再生を解除するとともに、前記第１デコーダに前記第１データのうちの親画面についてのデータを復号させ、かつ、前記第２デコーダに前記第２データを復号させる制御を行うように構成されている、請求項４に記載の再生装置。
【請求項６】
前記第２データが前記再生装置本体に入力されたのを検出したことに基づいて、前記第１デコーダに前記第１データを復号させるとともに前記第２デコーダに前記第２データを復号させる制御部をさらに備え、
前記第２ソースは、複数種類のソースを含み、
前記第２デコーダは、前記複数種類のソースの前記第２データを復号可能なように構成され、
前記制御部は、前記第１データに基づく前記第１デコードデータと、前記第２データに基づく前記第２デコードデータとを、それぞれ、独立して再生させる制御を行うように構成されている、請求項１〜５のいずれか１項に記載の再生装置。
【請求項７】
前記制御部は、前記第１デコーダにより復号された前記第１ソースの前記第１データを再生している際に、前記第１データに基づく前記第１音声および前記第２音声が混合されて再生される第１の状態と、前記第２データが前記再生装置本体に入力された際に、前記第１音声および前記第２音声を混合した音声の再生を解除し、前記第１デコーダに前記第１データを復号させるとともに前記第２デコーダに前記第２データを復号させ、前記第１データに基づく前記第１音声と、前記第２データに基づく前記第２デコードデータの音声とが、それぞれ、独立して再生される第２の状態とを、ユーザの操作に基づいて切り替え可能な制御を行うように構成されている、請求項４に記載の再生装置。
【請求項８】
第１の部屋に配置される第１スピーカと、第２の部屋に配置される第２スピーカとをさらに備え、
前記第１データに基づく前記第１デコードデータと、前記第２データに基づく前記第２デコードデータとを、それぞれ、前記第１スピーカと前記第２スピーカとから独立して再生させるように構成されている、請求項１〜７のいずれか１項に記載の再生装置。
【発明の詳細な説明】
【技術分野】
【０００１】
この発明は、再生装置に関し、特に、再生装置本体に入力されるデータを再生可能な再生装置に関する。
【背景技術】
【０００２】
従来、再生装置本体に入力されるデータを再生可能な再生装置が知られている（たとえば、特許文献１参照）。
【０００３】
上記特許文献１には、再生装置本体と、装置本体内の記録媒体から読み出されたデータを復号可能な再生部（デコーダ）とを備え、再生部により復号された記録媒体のデータを再生する再生装置が開示されている。この再生装置は、装置本体に外部接続される他の再生装置からの制御信号が受信可能に構成されている。これにより、この再生装置では、記録媒体のデータをメイン出力部から出力して再生させながら、外部接続された他の再生装置からの制御信号に基づいて、同じ記録媒体のデータをサブ出力部からも出力して再生させるように構成されている。
【先行技術文献】
【特許文献】
【０００４】
【特許文献１】特開２００９−１１６９２９号公報
【発明の概要】
【発明が解決しようとする課題】
【０００５】
しかしながら、上記特許文献１の再生装置では、記録媒体のデータが再生部（デコーダ）で復号されている最中に装置本体内の記録媒体とは異なるソースのデータが装置本体に外部入力された場合には、外部入力されたソースのデータを同時並行的に同じ再生部（デコーダ）を用いて復号できないという問題点があると考えられる。
【０００６】
この発明は、上記のような課題を解決するためになされたものであり、この発明の１つの目的は、第１のソースに基づくデータの再生処理中に、第２のソースに基づくデータが外部入力された場合でも、各々のデータの再生動作を支障なく行うことが可能な再生装置を提供することである。
【課題を解決するための手段】
【０００７】
この発明の一の局面による再生装置は、再生装置本体と、再生装置本体に入力されるデータを復号可能な第１デコーダおよび第２デコーダとを備え、第１デコーダにより復号された第１ソースの第１データを再生している際に、第１ソースとは異なる第２ソースの第２データが再生装置本体に入力された場合に、第１デコーダに第１データを復号させるとともに第２デコーダに第２データを復号させ、第１データに基づく第１デコードデータと、第２データに基づく第２デコードデータとを、それぞれ、独立して再生させるように構成されている。
【０００８】
この一の局面による再生装置では、上記のように、第１デコーダにより復号された第１ソースの第１データを再生している際に、第１ソースとは異なる第２ソースの第２データが再生装置本体に入力された場合に、第１デコーダに第１データを復号させるとともに第２デコーダに第２データを復号させ、第１データに基づく第１デコードデータと、第２データに基づく第２デコードデータとを、それぞれ、独立して再生させるように構成することによって、第１デコーダを用いた第１データの復号および再生動作と、第２デコーダを用いた第２ソースが有する第２データの復号および再生動作とを並行して行わせることができる。これにより、第１ソースに基づいてデータの再生処理中に、第２ソースに基づくデータが外部入力された場合でも、各々のデータの再生動作を支障なく行うことができる。また、第１デコードデータを再生している際に、第２デコーダが使用されていない場合には、再生装置本体に入力された第２ソースの第２データを第２デコーダ側で復号することができるので、第２デコーダを有効に利用することができる。
【０００９】
上記一の局面による再生装置において、好ましくは、第１デコードデータを出力可能な第１再生出力部と、第２デコードデータを出力可能な第２再生出力部とをさらに備え、第１データに基づく第１デコードデータと、第２データに基づく第２デコードデータとを、それぞれ、第１再生出力部および第２再生出力部から独立して再生出力させるように構成されている。このように構成すれば、第１再生出力部を介して第１デコードデータを再生させることと、第２再生出力部を介して第２デコードデータを再生させることとを、容易に行うことができる。
【００１０】
上記一の局面による再生装置において、好ましくは、第２データが再生装置本体に入力されたのを検出したことに基づいて、第１デコーダに第１データを復号させるとともに第２デコーダに第２データを復号させ、第１データに基づく第１デコードデータと、第２データに基づく第２デコードデータとを、それぞれ、独立して再生させる制御を行う制御部をさらに備える。このように構成すれば、第２データが再生装置本体に入力されたのを制御部が検出したことに基づいて、自動的に、第１デコーダを用いた第１データの復号および再生動作と、第２デコーダを用いた第２ソースが有する第２データの復号および再生動作とを並行して行わせることができる。これにより、第１ソースに基づくデータの再生処理中に、第２ソースに基づくデータが外部入力された場合でも、容易に、各々のデータの再生動作を支障なく行うことができる。
【００１１】
この場合、好ましくは、第１デコードデータは、第１データが第１デコーダにより復号された第１音声および第１データが第２デコーダにより復号された第２音声を含み、制御部は、第１デコーダおよび第２デコーダが第１ソースの第１データを復号するとともに、第１データに基づく第１音声および第２音声が混合されて再生されている場合に、第２データが再生装置本体に入力されたのを検出したことに基づいて、第１音声および第２音声を混合した音声の再生を解除し、第１デコーダに第１データを復号させるとともに第２デコーダに第２データを復号させ、第１データに基づく第１音声と、第２データに基づく第２デコードデータの音声とを、それぞれ、独立して出力させる制御を行うように構成されている。このように構成すれば、第１デコーダおよび第２デコーダが共に第１ソースの第１データを復号している場合でも、第２ソースのデータが再生装置本体に新たに入力された場合に第１デコーダに第１データを復号させるとともに第２デコーダに第２データを復号させるように各々のデコーダの動作内容を切り替えることができるので、確実に、第１デコーダを用いた第１データの復号および再生動作と、第２デコーダを用いた第２ソースが有する第２データの復号および再生動作とを並行して行わせることができる。
【００１２】
上記第１デコードデータが第１音声および第２音声を含む構成において、好ましくは、第１データは、親画面のうちの一部に子画面を表示可能なピクチャインピクチャ機能に対応したブルーレイ規格に準拠したデータであり、制御部は、第２データが再生装置本体に入力されたのを検出したことに基づいて、第１音声および第２音声を混合した音声の再生を解除するとともに、第１デコーダに第１データのうちの親画面についてのデータを復号させ、かつ、第２デコーダに第２データを復号させる制御を行うように構成されている。このように構成すれば、第１デコーダおよび第２デコーダがピクチャインピクチャ機能に対応した第１データを復号している場合でも、容易に、第１デコーダに第１データを復号させるとともに第２デコーダに第２データを復号させるように各々のデコーダの動作内容を切り替えることができる。
【００１３】
上記一の局面による再生装置において、好ましくは、第２データが再生装置本体に入力されたのを検出したことに基づいて、第１デコーダに第１データを復号させるとともに第２デコーダに第２データを復号させる制御部をさらに備え、第２ソースは、複数種類のソースを含み、第２デコーダは、複数種類のソースの第２データを復号可能なように構成され、制御部は、第１データに基づく第１デコードデータと、第２データに基づく第２デコードデータとを、それぞれ、独立して再生させる制御を行うように構成されている。このように構成すれば、複数種類のソースの第２データが再生装置本体に入力された場合でも、第１デコーダを用いた第１データの復号および再生動作と、第２デコーダを用いた第２ソースが有する第２データの復号および再生動作とを並行して行わせることができる。
【００１４】
上記第１デコードデータが第１音声および第２音声を含む構成において、好ましくは、制御部は、第１デコーダにより復号された第１ソースの第１データを再生している際に、第１データに基づく第１音声および第２音声が混合されて再生される第１の状態と、第２データが再生装置本体に入力された際に、第１音声および第２音声を混合した音声の再生を解除し、第１デコーダに第１データを復号させるとともに第２デコーダに第２データを復号させ、第１データに基づく第１音声と、第２データに基づく第２デコードデータの音声とが、それぞれ、独立して再生される第２の状態とを、ユーザの操作に基づいて切り替え可能な制御を行うように構成されている。このように構成すれば、第１データに基づく第１音声および第２音声が混合されて再生される第１の状態と、第１データに基づく第１音声と、第２データに基づく第２デコードデータの音声とがそれぞれ独立して再生される第２の状態とを、ユーザの意思で切り替えることができるので、正確な機器操作を行うことができる。
【００１５】
上記一の局面による再生装置において、好ましくは、第１の部屋に配置される第１スピーカと、第２の部屋に配置される第２スピーカとをさらに備え、第１データに基づく第１デコードデータと、第２データに基づく第２デコードデータとを、それぞれ、第１スピーカと第２スピーカとから独立して再生させるように構成されている。このように構成すれば、第１スピーカおよび第２スピーカから、容易に、第１デコードデータと、第２デコードデータとを、それぞれ、独立して同時に再生することができる。
【発明の効果】
【００１６】
本発明によれば、上記のように、第１ソースに基づくデータの再生処理中に、第２ソースに基づくデータが外部入力された場合でも、各々のデータの再生動作を支障なく行うことができる。
【図面の簡単な説明】
【００１７】
【図１】本発明の一実施形態によるＢＤレコーダの構成を示したブロック図である。
【図２】本発明の一実施形態によるＢＤレコーダのＰｉｎＰ再生を行っている状態を示した図である。
【図３】本発明の一実施形態によるＢＤレコーダの２ストリーム再生を設定する画面を示した図である。
【図４】本発明の一実施形態によるＢＤレコーダの自動再生を設定する画面を示した図である。
【図５】本発明の一実施形態によるＢＤレコーダの自動で再生されるソースの優先順位を設定する画面を示した図である。
【図６】本発明の一実施形態によるＢＤレコーダの手動再生を設定する際の画面を示した図である。
【図７】本発明の一実施形態によるＢＤレコーダの手動で再生可能なソースを表示する画面を示した図である。
【図８】本発明の一実施形態によるＢＤレコーダの手動で再生可能なデータの拡張子を表示する画面を示した図である。
【図９】本発明の一実施形態によるＢＤレコーダの手動で再生可能なデータの曲名を表示する画面を示した図である。
【図１０】本発明の一実施形態によるＢＤレコーダの手動で再生するデータの出力先を指定する画面を示した図である。
【図１１】本発明の一実施形態によるＢＤレコーダにおける再生自動切替処理を説明するためのフローチャートである。
【図１２】本発明の一実施形態によるＢＤレコーダの第２データ（スマートフォンから伝送されたデータ）の検出処理を説明するためのフローチャートである。
【図１３】本発明の一実施形態によるＢＤレコーダの第２データ（デジタル音声）の検出処理を説明するためのフローチャートである。
【図１４】本発明の一実施形態によるＢＤレコーダの第２データ（アナログ音声）の検出処理を説明するためのフローチャートである。
【図１５】本発明の一実施形態によるＢＤレコーダにおける自動再生されるソースの優先順位の設定処理を説明するためのフローチャートである。
【図１６】本発明の一実施形態によるＢＤレコーダにおける手動再生切替処理を説明するためのフローチャートである。
【図１７】本発明の一実施形態によるＢＤレコーダにおける手動再生されるデータの設定処理を説明するためのフローチャートである。
【発明を実施するための形態】
【００１８】
以下、図１〜図１０を参照して、本発明の一実施形態によるＢＤ（ブルーレイディスク）レコーダ１００の構成について説明する。なお、ＢＤレコーダ１００は、本発明の「再生装置」の一例である。
【００１９】
本発明の一実施形態によるＢＤレコーダ１００は、図１に示すように、ＴＶ（テレビジョン）２００と、５．１ｃｈスピーカ３００と、ワイヤレススピーカ４００とに接続可能に構成されている。また、ＴＶ２００は、ＢＤレコーダ１００から入力された画像（映像）を表示可能に構成されている。また、５．１ｃｈスピーカ３００は、ＢＤレコーダ１００から入力された音声を５．１ｃｈで出力（再生）可能に構成されている。ここで、ＢＤレコーダ１００、ＴＶ２００および５．１ｃｈスピーカ３００は、リビングに設置されている。また、ワイヤレススピーカ４００は、リビングとは別室の書斎に設置されておりＢＤレコーダ１００から入力された音声を出力（再生）可能に構成されている。また、ＢＤレコーダ１００は、リモコン（図示せず）により操作可能に構成されている。なお、５．１ｃｈスピーカ３００は、本発明の「第１スピーカ」の一例である。また、ワイヤレススピーカ４００は、本発明の「第２スピーカ」の一例である。また、リビングは、本発明の「第１の部屋」の一例である。また、書斎は、本発明の「第２の部屋」の一例である。
【００２０】
また、図２に示すように、ＢＤレコーダ１００（図１参照）は、ＴＶ２００の表示部２０１に表示される後述する親画面２０２のうちの一部領域に子画面２０３を表示しながら再生可能なＰｉｎＰ（ピクチャインピクチャ）機能に対応するように構成されている。たとえば、ＢＤレコーダ１００でＰｉｎＰ機能に対応したＢＤディスク３ａ（図１参照）を再生する際には、親画面２０２には映画のシーンが表示され、子画面２０３には映画製作者が解説を行う映像が表示される。
【００２１】
また、ＢＤレコーダ１００は、異なるメーカ間における機器の接続を容易にするＤＬＮＡ（Ｄｉｇｉｔａｌ  Ｌｉｖｉｎｇ  Ｎｅｔｗｏｒｋ  Ａｌｌｉａｎｃｅ）により機器認証を受けた再生装置である。また、ＢＤレコーダ１００は、ＤＭＣ（Ｄｉｇｉｔａｌ  Ｍｅｄｉａ  Ｃｏｎｔｒｏｌｌｅｒ）として機能する後述のスマートフォン３ｉにより制御されて、コンテンツの再生を行うＤＭＲ（Ｄｉｇｉｔａｌ  Ｍｅｄｉａ  Ｒｅｎｄｅｒｅｒ）として機能する。さらには、ＢＤレコーダ１００は、図示しないサーバからコンテンツを取得して、再生するＤＭＰ（Ｄｉｇｉｔａｌ  Ｍｅｄｉａ  Ｐｌａｙｅｒ）としても機能するように構成されている。なお、ＢＤレコーダ１００は、ＤＭＣとしてのスマートフォン３ｉのデータを使用可能とするためのＤＬＮＡアプリを常駐している。
【００２２】
ここで、本実施形態では、ＢＤレコーダ１００の装置本体１００ａは、図１に示すように、メインＩＣ（Ｉｎｔｅｇｒａｔｅｄ  Ｃｉｒｃｕｉｔ）１と、第１オーディオＡＤＣ（ａｎａｌｏｇ  ｔｏ  ｄｉｇｉｔａｌ  ｃｏｎｖｅｒｔｅｒ）２ａと、第２オーディオＡＤＣ２ｂと、ＤＳＰ（Ｄｉｇｉｔａｌ  Ｓｉｇｎａｌ  Ｐｒｏｃｅｓｓｏｒ）４と、ワイヤレススピーカ送信部５とを主に備えている。なお、装置本体１００ａは、本発明の「再生装置本体」の一例である。また、メインＩＣ１は、本発明の「制御部」の一例である。
【００２３】
メインＩＣ１は、ＢＤレコーダ１００全体の制御を司る機能を有している。また、メインＩＣ１は、図１に示すように、入力ストリーム処理部１１と、第１デコーダ１２ａと、第２デコーダ１２ｂと、第１ＡＶ出力部１３ａと、第２ＡＶ出力部１３ｂとを含んでいる。また、メインＩＣ１は、出力セレクタ部１４と、ＨＤＭＩ出力部１５と、５．１ｃｈ出力部１６と、ＳＰＩＤＦ出力部１７と、２ｃｈ出力部１８とをさらに含んでいる。
【００２４】
入力ストリーム処理部１１には、複数のソースのデータが入力可能に構成されている。具体的には、入力ストリーム処理部１１には、ＢＤディスク３ａ、ＵＳＢメモリ３ｂ、ＳＤカード３ｃ、第１デジタルＡＶ機器３ｅ、第２デジタルＡＶ機器３ｆ、第１アナログＡＶ機器３ｇ、第２アナログＡＶ機器３ｈおよびイーサネット（登録商標）３ｄを介したスマートフォン３ｉの各ソースのデータが、それぞれ、入力される。また、入力ストリーム処理部１１は、入力されたデータを検出可能なように構成されている。また、第１アナログＡＶ機器３ｇおよび第２アナログＡＶ機器３ｈから入力されたデータは、それぞれ、第１オーディオＡＤＣ２ａおよび第２オーディオＡＤＣ２ｂにより検出されるように構成されている。なお、ＢＤディスク３ａは、本発明の「第１ソース」の一例である。また、ＵＳＢメモリ３ｂ、ＳＤカード３ｃ、第１デジタルＡＶ機器３ｅ、第２デジタルＡＶ機器３ｆ、第１アナログＡＶ機器３ｇおよび第２アナログＡＶ機器３ｈと、スマートフォン３ｉは、本発明の「第２ソース」の一例である。
【００２５】
入力ストリーム処理部１１は、入力されたデータに応じて少なくとも第１デコーダ１２ａまたは第２デコーダ１２ｂのうちのいずれか一方にデータを伝送するように構成されている。なお、第１アナログＡＶ機器３ｇから入力されるデータは、第１オーディオＡＤＣ２ａによりデジタル音声（ＰＣＭ（ｐｕｌｓｅ  ｃｏｄｅ  ｍｏｄｕｌａｔｉｏｎ））に変換された後、入力ストリーム処理部１１に入力される。また、第２アナログＡＶ機器３ｈから入力されるデータは、第２オーディオＡＤＣ２ｂによりデジタル音声（ＰＣＭ）に変換された後、入力ストリーム処理部１１に入力される。
【００２６】
また、入力ストリーム処理部１１は、イーサネット（登録商標）３ｄを介してＷｉＦｉ（登録商標）接続されたスマートフォン３ｉと通信可能に構成されている。すなわち、スマートフォン３ｉによりインターネット経由で取得されたデータが入力ストリーム処理部１１に入力される。
【００２７】
第１デコーダ１２ａおよび第２デコーダ１２ｂは、装置本体１００ａ（入力ストリーム処理部１１）に入力されたデータを復号する機能を有している。
【００２８】
また、ＢＤディスク３ａのＢＤデータは、ＰｉｎＰ機能に対応したブルーレイ規格に準拠している。具体的には、ＢＤディスク３ａのＢＤデータは、親画面２０２（図２参照）に関するデータ（親画面２０２に表示される親画面映像データおよびこれに付随する親画面音声データ）と、子画面２０３に関するデータ（子画面２０３（図２参照）に表示される子画面映像データおよびこれに付随する子画面音声データ）とを含んでいる。なお、ＢＤデータ、親画面映像データ、親画面音声データ、子画面映像データおよび子画面音声データは、本発明の「第１データ」の一例である。
【００２９】
また、以下では、ＢＤディスク３ａのＢＤデータをＴＶ２００においてＰｉｎＰ再生している際に、ＵＳＢメモリ３ｂのＵＳＢデータがＢＤレコーダ１００（入力ストリーム処理部１１）に入力される場合の装置本体１００ａにおけるデータ処理内容について主に説明する。
【００３０】
第１デコーダ１２ａ（図１参照）は、入力ストリーム処理部１１を介して伝送されたＢＤディスク３ａのＢＤデータ（親画面映像データおよび親画面音声データ）を復号するように構成されている。これにより、第１デコーダ１２ａでは、親画面音声データは親画面音声に復号される。なお、親画面音声は、本発明の「第１デコードデータ」および「第１音声」の一例である。
【００３１】
第２デコーダ１２ｂ（図１参照）は、入力ストリーム処理部１１を介して伝送されたＢＤディスク３ａのＢＤデータ（子画面映像データおよび子画面音声データ）を復号するように構成されている。これにより、第２デコーダ１２ｂでは、子画面音声データは子画面音声に復号される。なお、子画面音声は、本発明の「第１デコードデータ」および「第２音声」の一例である。
【００３２】
また、第２デコーダ１２ｂは、入力ストリーム処理部１１を介して伝送された複数種類のソースのデータを音声データに復号可能なように構成されている。具体的には、第２デコーダ１２ｂは、ＵＳＢメモリ３ｂのみならず他のＳＤカード３ｃ、第１デジタルＡＶ機器３ｅ、第２デジタルＡＶ機器３ｆ、第２アナログＡＶ機器３ｇ、第２アナログＡＶ機器３ｈおよびスマートフォン３ｉの各ソースが有するデータを復号可能なように構成されている。なお、上記したＵＳＢメモリ３ｂ、ＳＤカード３ｃ、第１デジタルＡＶ機器３ｅ、第２デジタルＡＶ機器３ｆ、第２アナログＡＶ機器３ｇ、第２アナログＡＶ機器３ｈおよびスマートフォン３ｉの各ソースが有するデータは、本発明の「第２データ」の一例である。
【００３３】
第１ＡＶ出力部１３ａ（図１参照）には、第１デコーダ１２ａで復号された親画面音声を出力セレクタ部１４に出力する機能を有している。第２ＡＶ出力部１３ｂ（図１参照）は、第２デコーダ１２ｂで復号された子画面音声を第１ＡＶ出力部１３ａに出力することが可能に構成されている。また、第２ＡＶ出力部１３ｂは、第２デコーダ１２ｂで復号されたＵＳＢ音声を第１ＡＶ出力部１３ａに出力することも可能に構成されている。また、第２ＡＶ出力部１３ｂは、第２デコーダ１２ｂで復号されたＵＳＢ音声を２ｃｈ出力部１８に出力可能に構成されている。なお、ＵＳＢ音声は、本発明の「第２デコードデータ」の一例である。
【００３４】
出力セレクタ部１４（図１参照）は、第１ＡＶ出力部１３ａから伝送されたデータをＨＤＭＩ出力部１５、５．１ｃｈ出力部１６、ＳＰＩＤＦ出力部１７および２ｃｈ出力部１８のいずれかに振り分ける機能を有している。
【００３５】
ＨＤＭＩ出力部１５（図１参照）は、ＨＤＭＩケーブル（図示せず）を介して、ＴＶ２００に接続されており、第１デコーダ１２ａにより復号された親画面映像データと、第２デコーダ１２ｂにより復号された子画面映像データとをＴＶ２００に出力する機能を有している。
【００３６】
５．１ｃｈ出力部１６（図１参照）は、出力セレクタ部１４から伝送された親画面音声のみ、または、親画面音声および子画面音声をＤＳＰ４に伝送することが可能に構成されている。なお、ＢＤデータの音声データ（親画面音声データおよび子画面音声データ）は、５．１ｃｈ出力部１６から出力されるので、この場合、ＨＤＭＩ出力部１５からは出力されない。なお、５．１ｃｈ出力部１６は、本発明の「第１再生出力部」の一例である。
【００３７】
ＳＰＩＤＦ出力部１７（図１参照）は、出力セレクタ部１４から伝送された親画面音声のみ、または、親画面音声および子画面音声をデジタル出力することが可能に構成されている。
【００３８】
２ｃｈ出力部１８は、出力セレクタ部１４から伝送された親画面音声のみ、または、親画面音声および子画面音声をワイヤレススピーカ送信部５に伝送する機能を有している。また、２ｃｈ出力部１８は、第２ＡＶ出力部１３ｂから直接的に伝送されたＵＳＢ音声をワイヤレススピーカ送信部５に伝送する機能を有している。なお、２ｃｈ出力部１８は、本発明の「第２再生出力部」の一例である。
【００３９】
また、ＤＳＰ４（図１参照）は、５．１ｃｈスピーカ３００に接続されており、５．１ｃｈ出力部１６から出力された親画面音声、または、親画面音声および子画面音声のサウンド効果などを変更して５．１ｃｈスピーカ３００に出力するように構成されている。また、５．１ｃｈスピーカ３００は、ＢＤデータに基づく親画面音声および子画面音声のみならずＵＳＢメモリ３ｂに基づくＵＳＢ音声を再生可能に構成されている。
【００４０】
また、ワイヤレススピーカ送信部５（図１参照）は、ワイヤレススピーカ４００の受信部（図示せず）にデータを無線により送信するように構成されている。また、ワイヤレススピーカ４００の受信部により受信されたデータは、ワイヤレススピーカ４００から再生されるように構成されている。
【００４１】
ここで、本実施形態では、メインＩＣ１は、図３に示すように、２ストリーム再生（第１ソースおよび第２ソースの再生）を行うかまたは１ストリーム再生（第１ソースのみの再生）を行うかをユーザ操作に基づいて切り替える制御を行うことが可能に構成されている。また、メインＩＣ１は、図４および図６に示すように、ユーザ操作に基づいて入力されたデータを自動で再生するかまたは手動で再生するかを切り替える制御を行うことが可能に構成されている。なお、図３および図４の遷移については、後述の自動再生されるソースの優先順位設定処理において説明するとともに、図３および図６の遷移については、後述の再生設定の受付処理フローにおいて説明する。
【００４２】
また、本実施形態では、メインＩＣ１は、第１デコーダ１２ａにより復号されたＢＤディスク３ａのＢＤデータ（第１データ）を再生している際に、ＢＤディスク３ａとは異なるソース（たとえば、ＵＳＢメモリ３ｂ）のＵＳＢデータ（第２データ）が装置本体１００ａに別入力された場合に、第１デコーダ１２ａにＢＤデータを復号させるとともに第２デコーダ１２ｂにＵＳＢデータを復号させ、ＢＤデータに基づく親画面音声と、ＵＳＢデータに基づくＵＳＢ音声とを、それぞれ、独立して再生させる制御を行うように構成されている。
【００４３】
また、本実施形態では、メインＩＣ１は、ＵＳＢデータが装置本体１００ａに入力されたのを入力ストリーム処理部１１が検出したことに基づいて、第１デコーダ１２ａにＢＤデータ（第１データ）を復号させるとともに第２デコーダ１２ｂにＵＳＢデータ（第２データ）を復号させ、ＢＤデータに基づく親画面音声と、ＵＳＢデータに基づくＵＳＢ音声とを、それぞれ、独立して再生させる制御を行うように構成されている。
【００４４】
また、メインＩＣ１は、ＰｉｎＰ再生の際には、第２ＡＶ出力部１３ｂから第２デコーダ１２ｂで復号された子画面音声が第１ＡＶ出力部１３ａに伝送された場合には、第１デコーダ１２ａで復号された親画面音声および第２デコーダ１２ｂで復号された子画面音声を混合して出力セレクタ部１４に伝送する制御を行うように構成されている。具体的には、メインＩＣ１は、ＢＤデータが第１デコーダ１２ａにより復号された親画面音声および第ＢＤデータが第２デコーダ１２ｂにより復号された子画面音声を第１ＡＶ出力部１３ａで混合し、出力セレクタ部１４に伝送する制御を行うように構成されている。また、メインＩＣ１は、混合された親画面音声および子画面音声を５．１ｃｈ出力部１６を介して再生する制御を行うように構成されている。
【００４５】
また、本実施形態では、メインＩＣ１は、第１デコーダ１２ａおよび第２デコーダ１２ｂがＢＤディスク３ａのＢＤデータを復号するとともに、ＰｉｎＰ再生されている場合に、ＵＳＢデータが装置本体１００ａに入力されたのを検出したことに基づいて、親画面音声および子画面音声を混合した音声の再生を解除するように構成されている。この際、メインＩＣ１は第２デコーダ１２ｂにＢＤデータ（子画面音声データ）の復号を中断させる制御を行うように構成されている。また、メインＩＣ１は、ＰｉｎＰ再生されている場合に、ＵＳＢデータが入力ストリーム処理部１１に入力されたのを検出したことに基づいて、親画面音声および子画面音声を混合した音声の再生を解除し、第１デコーダ１２ａにＢＤデータのうちの親画面映像データおよび親画面音声データのみを復号させ、かつ、第２デコーダ１２ｂにはＵＳＢデータを復号させる制御を行うように構成されている。また、メインＩＣ１は、ＢＤデータに基づく親画面音声と、ＵＳＢデータに基づくＵＳＢ音声とを、それぞれ、独立して出力させる制御を行うように構成されている。
【００４６】
メインＩＣ１は、ＢＤデータに基づく親画面音声と、ＵＳＢデータに基づくＵＳＢ音声とを、それぞれ、５．１ｃｈ出力部１６と、２ｃｈ出力部１８とから独立して再生出力可能な制御を行うように構成されている。
【００４７】
メインＩＣ１は、入力ストリーム処理部１１にデータが入力された際に自動的にデータを検出し、第２デコーダ１２ｂにＢＤデータの子画面音声データの復号を中止させて、データを復号させる制御を行うように構成されている。また、入力ストリーム処理部１１に複数のソースから同時に入力があった場合に、優先的に再生されるソースの順番が設定可能に構成されている。具体的には、図５に示すように、優先順設定モードにおいて、入力ストリーム処理部１１に複数のソースから同時に入力があった場合に優先的に再生するソースがユーザにより決定される。この場合、小さい番号が割り当てられたソースほど優先して再生される。なお、入力ストリーム処理部１１に入力された際に自動的に検出可能なデータは、ＤＬＮＡにおけるＤＭＣとしてのスマートフォン３ｉ、第１デジタルＡＶ機器３ｅ、第２デジタルＡＶ機器３ｆ、第１アナログＡＶ機器３ｇおよび第２アナログＡＶ機器３ｈが有するデータである。
【００４８】
また、本実施形態では、メインＩＣ１は、第１デコーダ１２ａにより復号されたＢＤディスク３ａのＢＤデータを再生している際に、ＢＤデータに基づく親画面音声および子画画面音声が混合されて再生される第１の状態と、ＵＳＢデータが装置本体１００ａに入力された際に、親画面音声および子画面音声を混合した音声の再生を解除し、第１デコーダ１２ａにＢＤデータを復号させるとともに第２デコーダ１２ｂにＵＳＢデータを復号させ、ＢＤデータに基づく親画面音声と、ＵＳＢデータに基づくＵＳＢ音声とが、それぞれ、独立して再生される第２の状態とを、ユーザの操作に基づいて切り替え可能な制御を行うように構成されている。具体的には、メインＩＣ１は、図７〜図１０に示すように、ＢＤレコーダ１００（入力ストリーム処理部１１）にソースが入力された場合に、ユーザの操作に基づいてユーザにより選択されたソースおよびデータと、データの出力先との情報に基づいて、ＢＤデータに基づく親画面音声および子画画面音声が混合されて再生される状態（第１の状態）からＢＤデータに基づく親画面音声およびＵＳＢデータに基づくＵＳＢ音声が、それぞれ、独立して再生される状態（第２の状態）に切り替える制御を行うように構成されている。図７に示すように、ＢＤレコーダ１００（入力ストリーム処理部１１）に入力されたソースのうち再生するソースをユーザに選択させるための操作画面が表示部２０１に表示される。なお、図７では、「ＵＳＢメモリ」がユーザにより選択された状態を示している。また、図８に示すように、ユーザにより選択されたソースのデータから再生するデータの拡張子をユーザに選択させるための操作画面が表示部２０１に表示される。なお、図８では、拡張子として「ＭＰ３」がユーザにより選択された状態を示している。また、図９に示すように、ユーザにより選択された拡張子のデータから再生する曲をユーザに選択させるための操作画面が表示部２０１に表示される。なお、図９では、再生する曲として「ｃｃｃ．ｍｐ３」がユーザにより選択された状態を示している。また、図１０に示すように、再生するデータ（ＵＳＢメモリ３ｂ（図１参照）のｃｃｃ．ｍｐ３のＵＳＢデータ）およびＢＤデータの親画面音声の出力先をユーザに選択させるための操作画面が表示部２０１に表示される。なお、図１０では、再生するデータ（ＵＳＢメモリ３ｂのｃｃｃ．ｍｐ３のＵＳＢデータ）が２ｃｈ出力部１８から出力され、ＢＤディスクのＢＤデータが５．１ｃｈ出力部１６から出力される状態がユーザにより選択された状態を示している。
【００４９】
次に、図１および図１１を参照して、本実施形態によるＢＤレコーダ１００におけるメインＩＣ１により実行される再生自動切替処理について説明する。なお、ＰｉｎＰ再生からの自動切替処理は、ＰｉｎＰ再生が行われている状態で実施される。また、ＰｉｎＰ再生からの自動切替処理は、ＢＤレコーダ１００に、イーサネット（登録商標）３ｄを介してスマートフォン３ｉ、第１デジタルＡＶ機器３ｅ、第２デジタルＡＶ機器３ｆ、第１アナログＡＶ機器３ｇまたは第２アナログＡＶ機器３ｈから第２データが入力された場合に実施される。
【００５０】
まず、図１１に示すように、ステップＳ１において、入力ストリーム部１１（図１参照）により、たとえば第１デジタル音声入力３ｅから第２データの入力が検出されると、ステップＳ２に進み、第２デコーダ１２ｂによる第１データ（ＢＤデータ）の復号を中断し、第１音声（親画面音声）および第２音声（子画面音声）の混合を解除する。
【００５１】
次に、ステップＳ３において、アナログ音声から第２データが入力されたか否かが判断される。ステップＳ３において、アナログ音声から第２データが入力されたと判断された場合には、ステップＳ５に進む。具体的には、第１アナログＡＶ機器３ｇ（図１参照）または第２アナログＡＶ機器３ｈ（図１参照）から第２データが入力された場合には、第１オーディオＡＤＣ２ａ（図１参照）または第２オーディオＡＤＣ２ｂ（図１参照）によりデジタル音声に変換されるので第２デコーダ１２ｂによる復号の必要がない。また、ステップＳ３において、アナログ音声から第２データが入力されたと判断されなかった場合には、ステップＳ４に進み、第２デコーダ１２ｂを用いて、第２データの復号が開始される。具体的には、イーサネット（登録商標）３ｄを介してスマートフォン３ｉ、第１デジタルＡＶ機器３ｅまたは第２デジタルＡＶ機器３ｆから第２データが入力された場合には、データの復号が開始される。
【００５２】
次に、ステップＳ５において、第１音声（親画面音声）が５．１ｃｈ出力部１６から出力され、第２デコードデータとしての音声（たとえば、ＵＳＢ音声）が２ｃｈ出力部１８から出力される。その後、ＰｉｎＰ再生からの再生自動切替処理を終了する。
【００５３】
次に、図１および図１２を参照して、図１１の再生自動切替処理におけるステップＳ１における第２データ（スマートフォン３ｉから伝送されたデータ）の検出処理について説明する。
【００５４】
ステップＳ１１１において、ＤＭＣとしてのスマートフォン３ｉ（図１参照）から伝送された第２データが検出されたか否かが判断される。ステップＳ１１１において、スマートフォン３ｉから伝送された第２データが検出されるまでこの判断が繰り返され、スマートフォン３ｉから伝送された第２データが検出されると、第２データの検出処理を終了する。
【００５５】
次に、図１および図１３を参照して、図１１の再生自動切替処理におけるステップＳ１における第２データ（デジタル音声）の検出処理について説明する。
【００５６】
次に、ステップＳ１２１において、第１デジタルＡＶ機器３ｅ（図１参照）または第２デジタルＡＶ機器３ｆ（図１参照）から伝送された第２データが検出されたか否かが判断される。ステップＳ１２１において、第１デジタルＡＶ機器３ｅまたは第２デジタルＡＶ機器３ｆから伝送された第２データが検出されるまでこの判断が繰り返され、第１デジタルＡＶ機器３ｅまたは第２デジタルＡＶ機器３ｆから伝送された第２データが検出されると、第２データの入力が検出処理を終了する。なお、第１デジタルＡＶ機器３ｅまたは第２デジタルＡＶ機器３ｆから伝送された第２データが検出されたか否かの判断は、デジタル音声から伝送された第２データが検出されるまで２０ミリ秒ごとに行われる。
【００５７】
次に、図１および図１４を参照して、図１１の再生自動切替処理におけるステップＳ１における第２データ（アナログ音声）の検出処理について説明する。
【００５８】
ステップＳ１３１において、第１オーディオＡＤＣ２ａ（図１参照）または第２オーディオＡＤＣ２ｂ（図１参照）において伝送された第２データが検出されたか否かが判断される。具体的には、第１アナログＡＶ機器３ｇから第１オーディオＡＤＣ２ａへの第２データの入力または第２アナログＡＶ機器３ｈから第２オーディオＡＤＣ２ｂへの第２データの入力が検出されたか否かが判断される。ステップＳ１３１において、第１オーディオＡＤＣ２ａまたは第２オーディオＡＤＣ２ｂにおいて第２データが検出されるまでこの判断が繰り返され、第１オーディオＡＤＣ２ａまたは第２オーディオＡＤＣ２ｂにおいて第２データが検出されると、第２データの検出処理を終了する。なお、第１オーディオＡＤＣ２ａまたは第２オーディオＡＤＣ２ｂから伝送された第２データが検出されたか否かの判断は、アナログ音声から伝送された第２データが検出されるまで２０ミリ秒ごとに行われる。
【００５９】
次に、図３、図４、図５および図１５を参照して、本実施形態によるＢＤレコーダ１００におけるメインＩＣ１により実行される自動再生されるソースの優先順位設定処理について説明する。
【００６０】
まず、図１５に示すように、ステップＳ１１において、ユーザによりリモコンのソースキー（図示せず）が押下されたことにより、２ストリーム再生（第１ソースおよび第２ソースの再生）を行うかについての問い合わせがユーザに対して行われる。すなわち、図３に示すように、２ストリーム再生を行うかについての選択画面２０５が表示部２０１に表示される。
【００６１】
次に、ステップＳ１２において、ユーザによる２ストリーム再生を行う旨の応答があったか否かが判断される。ステップＳ１２において、ユーザによる２ストリーム再生を行う旨の応答がない（図３における２ストリーム再生ボタン２０５ｂが押下されていない）と判断された場合には、再生ソースの優先順位設定処理を終了する。また、２ストリーム再生を行う旨の応答がある（図３における２ストリーム再生ボタン２０５ｂが押下された）と判断された場合には、ステップＳ１３に進む。
【００６２】
ステップＳ１３において、入力されたデータを自動で再生するかについての問い合わせがユーザに対して行われる。すなわち、図４に示すように、自動で再生するかについての選択画面２０６が表示部２０１に表示される。次に、ステップＳ１４において、入力されたデータを自動で再生する旨の応答がない（図４における自動ボタン２０６ｂが押下されていない）と判断された場合には、再生ソースの優先順位設定処理を終了する。また、入力されたデータを自動で再生する旨の応答がある（図４における自動ボタン２０６ｂが押下された）と判断された場合には、ステップＳ１５に進む。
【００６３】
ステップＳ１５において、自動で再生する際の優先順位設定についての問い合わせがユーザに対して行われる。すなわち、図５に示すように、自動で再生する際の優先順位設定の選択画面２０７が表示部２０１に表示される。次に、ステップＳ１６において、自動で再生する際の優先順位が設定されたか否かが判断される。具体的には、図５における選択画面２０７中の各項目に対して１〜５のいずれかの優先順位番号がユーザにより割り当てられたか否かが判断される。そして、自動で再生する際の優先順位設定された旨の応答を受け付けると、ステップＳ１７に進む。ステップＳ１７において、自動で再生する際の優先順位が設定され、その後、再生ソースの優先順位設定処理を終了する。
【００６４】
次に、図１および図１６を参照して、本実施形態によるＢＤレコーダ１００におけるメインＩＣ１により実行される再生手動切替処理について説明する。なお、ＰｉｎＰ再生の際の再生手動切替処理は、ＰｉｎＰ再生が行われている状態で実施される。また、ＰｉｎＰ再生の際の再生手動切替処理は、ＢＤレコーダ１００に、イーサネット（登録商標）３ｄを介してスマートフォン３ｉ、第１デジタルＡＶ機器３ｅまたは第２デジタルＡＶ機器３ｆから第２データが入力された場合に実施される。
【００６５】
まず、図１６に示すようにステップＳ２１において、再生についての設定が受け付けられると、ステップＳ２２に進み、第２デコーダ１２ｂ（図１参照）による第１データ（ＢＤデータ）の復号を中止し、第１音声（親画面音声）および第２音声（子画面音声）の混合を解除する。
【００６６】
次に、ステップＳ２３において、アナログ音声から入力されたか否かが判断される。ステップＳ２３において、アナログ音声から入力されたと判断された場合には、ステップＳ２５に進む。具体的には、第１アナログＡＶ機器３ｇ（図１参照）または第２アナログＡＶ機器３ｈ（図１参照）から第２データが入力された場合には、第１オーディオＡＤＣ２ａまたは第２オーディオＡＤＣ２ｂでデジタル音声に変換されるので復号を行う必要がない。
【００６７】
また、ステップＳ２３において、アナログ音声から第２データが入力されたと判断されなかった場合には、ステップＳ２４に進み、データの復号が開始される。具体的には、イーサネット（登録商標）３ｄを介してスマートフォン３ｉ、第１デジタルＡＶ機器３ｅまたは第２デジタルＡＶ機器３ｆから第２データが入力された場合には、データの復号が開始される。
【００６８】
次に、ステップＳ２５において、再生についての設定（ステップＳ２１）に従って、第１音声および第２デコードデータとしての音声が出力される。具体的には、第１音声（親画面音声）が５．１ｃｈ出力部１６から出力され、第２デコードデータとしての音声（たとえば、ＵＳＢ音声）が２ｃｈ出力部１８から出力されるか、または、第１音声が２ｃｈ出力部１８から出力され、第２デコードデータとしての音声が５．１ｃｈ出力部１６から出力される。その後、手動切替処理を終了する。
【００６９】
次に、図３、図６〜図１０および図１７を参照して、図１６の再生手動切替処理におけるステップＳ２１における手動再生されるデータの設定処理について説明する。
【００７０】
まず、図１７に示すように、ステップＳ２１１において、ユーザによりリモコンのソースキー（図示せず）が押下されたことにより、２ストリーム再生（第１ソース（ＢＤディスク３ａ）および第２ソース（たとえば、ＵＳＢメモリ３ｂ）の再生）を行うかについての問い合わせがユーザに対して行われる。すなわち、図３に示すように、２ストリーム再生を行うかについての選択画面２０５が表示部２０１に表示される。
【００７１】
次に、ステップＳ２１２において、ユーザによる２ストリーム再生を行う旨の応答があったか否かが判断される。ステップＳ２１２において、ユーザによる２ストリーム再生を行う旨の応答がない（図３における２ストリーム再生ボタン２０５ｂが押下されていない）と判断された場合には、手動再生されるデータの設定処理を終了する。また、２ストリーム再生を行う旨の応答がある（図３における２ストリーム再生ボタン２０５ｂが押下された）と判断された場合には、ステップＳ２１３に進む。
【００７２】
ステップＳ２１３において、入力されたデータを手動で再生するかについての問い合わせがユーザに対して行われる。すなわち、図６に示すように、手動で再生するかについての選択画面２０６が表示部２０１に表示される。次に、ステップＳ２１４において、入力されたデータを手動で再生する旨の応答がない（図６における手動ボタン２０６ａが押下されていない）と判断された場合には、手動再生されるデータの設定処理を終了する。また、入力されたデータを手動で再生する旨の応答がある（図６における手動ボタン２０６ａが押下された）と判断された場合には、ステップＳ２１５に進む。
【００７３】
ステップＳ２１５において、手動で再生するソースについての問い合わせがユーザに対して行われる。すなわち、図７に示すように、再生するソースについての選択画面２０８が表示部２０１に表示される。次に、ステップＳ２１６において、手動で再生するソースが指定されたか否かが判断される。具体的には、図７における選択画面２０８中の１〜９の番号が付された各ソースのいずれかがユーザにより選択されたか否かが判断される。そして、手動で再生するソースが指定された旨の応答を受け付けると、ステップＳ２１７に進む。
【００７４】
ステップＳ２１７において、手動で再生するデータの拡張子についての問い合わせがユーザに対して行われる。すなわち、図８に示すように、再生するデータ形式（拡張子）についての選択画面２０９が表示部２０１に表示される。次に、ステップＳ２１８において、手動で再生するデータ形式（拡張子）が指定されたか否かが判断される。具体的には、図８における選択画面２０９中の１〜４の番号が付された各データ形式のいずれかがユーザにより選択されたか否かが判断される。そして、手動で再生するデータ形式（拡張子）が指定された旨の応答を受け付けると、ステップＳ２１９に進む。
【００７５】
ステップＳ２１９において、手動で再生する曲についての問い合わせがユーザに対して行われる。すなわち、図９に示すように、再生する曲についての選択画面２１０が表示部２０１に表示される。次に、ステップＳ２２０において、手動で再生する曲が指定されたか否かが判断される。具体的には、図９における選択画面２１０中の１〜９の番号が付された各曲のいずれかがユーザにより選択されたか否かが判断される。そして、手動で再生する曲が指定された旨の応答を受け付けると、ステップＳ２２１に進む。
【００７６】
ステップＳ２２１において、再生するデータの出力先についての問い合わせがユーザに対して行われる。すなわち、図１０に示すように、再生するデータの出力先についての選択画面２１１が表示部２０１に表示される。次に、ステップＳ２２２において、再生するデータの出力先が指定されたか否かが判断される。具体的には、図１０における選択画面２１１中の１または２の番号が付された出力先のいずれかがユーザにより選択されたか否かが判断される。そして、再生するデータの出力先が指定された旨の応答を受け付けると、ステップＳ２２３に進む。そして、ステップＳ２２３において指定された出力先に第１音声（親画面音声）および第２デコードデータとしての音声（ＵＳＢ音声）が出力されて、再生される。その後、手動再生されるデータの設定処理を終了する。
【００７７】
本実施形態では、上記のように、第１デコーダ１２ａにより復号されたＢＤデータ（第１データ）を再生している際に、ＵＳＢデータ（第２データ）が装置本体１００ａに入力された場合に、第１デコーダ１２ａにＢＤデータを復号させるとともに第２デコーダ１２ｂにＵＳＢデータを復号させ、ＢＤデータに基づく親画面音声（第１音声）と、ＵＳＢデータに基づくＵＳＢ音声とを、それぞれ、独立して再生するように構成する。これにより、第１デコーダ１２ａを用いたＢＤデータの復号および再生動作と、第２デコーダ１２ｂを用いたＵＳＢメモリ３ｂが有するＵＳＢデータの復号および再生動作とを並行して行わせることができる。その結果、ＢＤディスク３ａに基づいてデータの再生処理中に、ＵＳＢデータが外部入力された場合でも、各々のデータの再生動作を支障なく行うことができる。また、第１音声を再生している際に、第２デコーダ１２ｂが使用されていない場合には、装置本体１００ａに入力されたＵＳＢメモリ３ｂのＵＳＢデータを第２デコーダ１２ｂ側で復号することができるので、第２デコーダ１２ｂを有効に利用することができる。
【００７８】
本実施形態では、上記のように、５．１ｃｈ出力部１６と、２ｃｈ出力部１８とを設けるとともに、ＢＤデータ（第１データ）に基づく親画面音声（第１音声）と、ＵＳＢデータに基づくＵＳＢ音声とを、それぞれ、５．１ｃｈ出力部１６および２ｃｈ出力部１８から独立して再生出力するように構成する。これにより、５．１ｃｈ出力部１６を介して親画面音声を再生させることと、２ｃｈ出力部１８を介してＵＳＢ音声を再生させることとを、容易に、行うことができる。
【００７９】
本実施形態では、上記のように、ＵＳＢデータ（第２データ）が入力されたのを検出したことに基づいて、第１デコーダ１２ａにＢＤデータ（第１データ）を復号させるとともに第２デコーダ１２ｂにＵＳＢデータを復号させ、ＢＤデータに基づく親画面音声（第１音声）と、ＵＳＢデータに基づくＵＳＢ音声とを、それぞれ、独立して再生する制御を行うメインＩＣ１を設ける。これにより、ＵＳＢデータが装置本体１００ａに入力されたのをメインＩＣ１が検出したことに基づいて、自動的に、第１デコーダ１２ａを用いたＢＤデータの復号および再生動作と、第２デコーダ１２ｂを用いたＵＳＢメモリ３ｂが有するＵＳＢデータの復号および再生動作とを並行して行わせることができる。その結果、ＢＤデータの再生処理中に、ＵＳＢデータが外部入力された場合でも、容易に、各々のデータの再生動作を支障なく行うことができる。
【００８０】
本実施形態では、上記のように、第１デコーダ１２ａおよび第２デコーダ１２ｂがＢＤデータを復号するとともに、ＢＤデータ（第１データ）に基づく親画面音声（第１音声）および子画面音声（第２音声）が混合されて再生されている場合に、ＵＳＢデータが装置本体１００ａに入力されたのを検出したことに基づいて、親画面音声および子画面音声を混合した音声の再生を解除し、第１デコーダ１２ａにＢＤデータを復号させるとともに第２デコーダ１２ｂにＵＳＢデータ（第２データ）を復号させ、ＢＤデータに基づく親画面音声と、ＵＳＢデータに基づくＵＳＢ音声とを、それぞれ、独立して出力させる制御を行うようにメインＩＣ１を構成する。これにより、第１デコーダ１２ａおよび第２デコーダ１２ｂが共にＢＤデータを復号している場合でも、ＵＳＢデータが装置本体１００ａに新たに入力された場合に第１デコーダ１２ａにＢＤデータを復号させるとともに第２デコーダ１２ｂにＵＳＢデータを復号させるように各々のデコーダの動作内容を切り替えることができるので、確実に、第１デコーダ１２ａを用いたＢＤデータの復号および再生動作と、第２デコーダ１２ｂを用いたＵＳＢデータの復号および再生動作とを並行して行わせることができる。
【００８１】
本実施形態では、上記のように、ＰｉｎＰ機能に対応したブルーレイ規格に準拠するようにＢＤデータを構成するとともに、ＵＳＢデータ（第２データ）が装置本体１００ａに入力されたのを検出したことに基づいて、親画面音声（第１音声）および子画面音声（第２音声）を混合した音声の再生を解除するとともに、第１デコーダ１２ａに親画面映像データおよび親画面音声データを復号させ、かつ、第２デコーダ１２ｂにＵＳＢデータを復号させる制御を行うようにメインＩＣ１を構成する。これにより、第１デコーダ１２ａおよび第２デコーダ１２ｂがＰｉｎＰ機能に対応したＢＤデータを復号している場合でも、容易に、第１デコーダ１２ａにＢＤデータを復号させるとともに第２デコーダ１２ｂにＵＳＢデータを復号させるように各々のデコーダの動作内容を切り替えることができる。
【００８２】
本実施形態では、上記のように、第１デコーダ１２ａにより復号されたＢＤデータを再生している際に、ＢＤデータ（第１データ）の親画面音声（第１音声）および子画面音声（第２音声）が混合されて再生される第１の状態と、ＵＳＢデータ（第２データ）が装置本体１００ａに入力された際に、親画面音声および子画面音声を混合した音声の再生を解除し、第１デコーダ１２ａにＢＤデータを復号させるとともに第２デコーダ１２ｂにＵＳＢデータを復号させ、ＢＤデータに基づく親画面音声と、ＵＳＢデータに基づくＵＳＢ音声とが、それぞれ、独立して再生される第２の状態とを、ユーザの操作に基づいて切り替え可能な制御を行うようにメインＩＣ１を構成する。これにより、第１の状態と、第２の状態とを、ユーザの意思で切り替えることができるので、正確な機器操作を行うことができる。
【００８３】
本実施形態では、上記のように、ＢＤデータ（第１データ）に基づく親画面音声（第１音声）と、ＵＳＢデータ（第２データ）に基づくＵＳＢ音声とを、それぞれ、５．１ｃｈスピーカ３００とワイヤレススピーカ４００とから独立して再生するように構成する。これにより、５．１ｃｈスピーカ３００およびワイヤレススピーカ４００から、容易に、親画面音声と、ＵＳＢ音声とを、それぞれ、独立して同時に再生することができる。
【００８４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８５】
上記実施形態では、再生装置の一例としてＢＤレコーダ１００に本発明を適用した例を示したが、本発明はこれに限られない。本発明では、たとえば、ＢＤレコーダ以外の再生装置に本発明を適用してもよい。たとえば、ＤＶＤレコーダなどの再生装置に本発明を適用してもよい。
【００８６】
上記実施形態では、ＰｉｎＰ再生を行っている場合に、第２ソースの第２データがＢＤレコーダ本体１００（再生装置本体）に入力された際に、第１デコーダにＢＤデータ（第１データ）を復号させるとともに第２デコーダに第２データを復号させ、ＢＤデータに基づく第１音声（第１デコードデータ）と、第２データに基づく音声（第２デコードデータ）とを、それぞれ、独立して再生させるように構成されている例を示したが、本発明はこれに限られない。本発明では、ＰｉｎＰ再生を行っていない場合でも、第２ソースの第２データが再生装置本体に入力された際に、第１デコーダに第１データを復号させるとともに第２デコーダに第２データを復号させ、第１データに基づく第１デコードデータと、第２データに基づく第２デコードデータとを、それぞれ、独立して再生させるように構成してもよい。
【００８７】
上記実施形態では、本発明の第１データとしてのＢＤデータを第１デコーダで復号させるとともに、第２データを第２デコーダで復号させる例を示したが、本発明はこれに限られない。本発明では、ＢＤデータ以外の第１データを第１デコーダで復号させるとともに、第２データを第２デコーダで復号させてもよい。
【００８８】
上記実施形態では、本発明の第２データとしてのＵＳＢデータを第２デコーダで復号させる例を示したが、本発明はこれに限られない。本発明では、ＵＳＢデータ以外の第２データを第２デコーダで復号させてもよい。
【００８９】
上記実施形態では、第１音声を、本発明の第１再生出力部としての５．１ｃｈ出力部から再生する例を示したが、本発明はこれに限られない。本発明では、５．１ｃｈ出力部以外の第１再生出力部、たとえば、ＳＰＩＤＦ出力部から第１音声を再生してもよい。
【００９０】
上記実施形態では、ＢＤデータ（第１データ）に基づく親画面音声（第１デコードデータ）を５．１ｃｈ出力部（第１再生出力部）から出力するとともに、ＵＳＢデータ（第２データ）に基づくＵＳＢ音声（第２デコードデータ）を２ｃｈ出力部（第２再生出力部）から出力する例を示したが、本発明はこれに限られない。本発明では、第２データに基づく第２デコードデータを第１再生出力部から出力するとともに、第１データに基づく第１デコードデータを第２再生出力部から出力してもよい。
【００９１】
上記実施形態では、説明の便宜上、制御部の処理動作をスタート時はイベント駆動的に記載し、スタート以降の処理動作はフロー駆動的に記載したフローチャートを用いて説明したが、本発明はこれに限られない。制御部の処理動作を完全なイベント駆動型で行ってもよいし、完全なフロー駆動型で行ってもよいし、並行処理的に行ってもよい。
【符号の説明】
【００９２】
１  メインＩＣ（制御部）
３ａ  ＢＤディスク（第１ソース）
３ｂ  ＵＳＢメモリ（第２ソース）
３ｃ  ＳＤカード（第２ソース）
３ｅ  第１デジタル音声（第２ソース）
３ｆ  第２デジタル音声（第２ソース）
３ｇ  第１アナログ音声（第２ソース）
３ｈ  第２アナログ音声（第２ソース）
１２ａ  第１デコーダ
１２ｂ  第２デコーダ
１６  ５．１ｃｈ出力部（第１再生出力部）
１８  ２ｃｈ出力部（第２再生出力部）
１００  ＢＤレコーダ（再生装置）
１００ａ  装置本体（再生装置本体）
２０２  親画面
２０３  子画面
３００  ５．１ｃｈスピーカ（第１スピーカ）
４００  ワイヤレススピーカ（第２スピーカ）
【図１】
2014041671.tif 000003
【図２】
2014041671.tif 000004
【図３】
2014041671.tif 000005
【図４】
2014041671.tif 000006
【図５】
2014041671.tif 000007
【図６】
2014041671.tif 000008
【図７】
2014041671.tif 000009
【図８】
2014041671.tif 000010
【図９】
2014041671.tif 000011
【図１０】
2014041671.tif 000012
【図１１】
2014041671.tif 000013
【図１２】
2014041671.tif 000014
【図１３】
2014041671.tif 000015
【図１４】
2014041671.tif 000016
【図１５】
2014041671.tif 000017
【図１６】
2014041671.tif 000018
【図１７】
2014041671.tif 000019